(57)【特許請求の範囲】
【請求項１】
ケース本体の庫内に水平姿勢に係止支持した左右一対のスライドレール付き棚ブラケットと、左右の棚ブラケットの間にまたがりスライドレールに沿って前方へ引出し可能に案内支持した可動棚板とからなる商品陳列棚が設けられたショーケースにおいて、前記棚ブラケットの庫内奥行き方向の後方部分に断面楔形の補助ブラケットを前記棚ブラケット上部より突出可能に設け、前記可動棚板を前方に引き出した状態で前記補助ブラケットを前記棚ブラケット上に戴置するように位置し、前記可動棚板を庫内後方に押し込むと、突出した補助ブラケットの傾斜に沿って後方部分が持ち上がり、前記可動棚板は押し込んだ位置に傾斜保持されてロックされ、前記可動棚板を前方に引き出して前記補助ブラケットを前記棚ブラケット上部より突出しない位置に配置した状態では、前記可動棚板は前記補助ブラケットと干渉せずに庫内後方に押し込んだ位置に保持されロックされることを特徴とするショーケース。
【発明の詳細な説明】
【技術分野】
【０００１】
本発明は、引出し式の商品陳列棚を有するショーケースに関する。
【背景技術】
【０００２】
ショーケースは庫内に上下段に並ぶ商品陳列棚を備えており、また、この棚の奥部に陳列する商品の補給作業が楽に行えるようにすることを狙いに、商品陳列棚を前方へ引出し可能に構成した棚が公知である（例えば、特許文献１参照）。
また、この引出し可能に構成した商品陳列棚を商品載置時に棚の後方を上方へ傾斜させて設置することにより、最も手前の商品を取り出すと、自重で傾斜に沿って前方へ移動するように構成した棚が公知である（例えば、特許文献２、特許文献３参照）。
ここで、多段式オープンショーケースを例に、そのショーケースの全体構成，および従来における引出し式商品陳列棚の構造を図３ないし図５に示す。
まず、図３において、１は断熱筐体としてなる前面開放形のケース本体、２は庫内の商品陳列室３を取り巻いてケース本体１の外箱と内箱との間に画成した冷気循環ダクト、４は冷却器（冷凍機のエバポレータ）、５は庫内ファン、６は冷凍機のコンデンシングユニットであり、商品陳列室２の庫内には上下段に並んで商品１０を載置する引出し式商品陳列棚７が装備されている。
ここで、商品陳列棚７は各段ごとに庫内の左右両端に配した棚ブラケット８の間にまたがって次記のように可動棚板９が載置支持した構成になり、その詳細構造を以下に示す。
【０００３】
まず、図４は、引出し式商品陳列棚７の可動棚板９を水平状態で設置する構成を示すもので、図４(ａ)〜(ｃ)に示すように、引出し式商品陳列棚７の棚ブラケット８はスライドレール８ａを備え、その後端部に形成した爪８ｂを、ケース本体１の背面パネル１ａ（図１参照）と並べて庫内の左右両端に立てた図示しない棚支柱の穴に差し込んで前方に突き出すように水平姿勢に係止保持されている。一方、可動棚板９はその上部周縁にフェンスを起立形成した皿状の棚であり、同じ段に並ぶ左右の棚ブラケット８の間にまたがってスライドレール８ａの上に載置支持されている。
かかる構成で、常時は図４(ａ)に示すように可動棚板９が庫内の後方に押し込んだ位置に保持されている。一方、商品補充などに際して前方から可動棚板９を手前に引くと、図４(ｂ)の矢印Ｐで表すように可動棚板９がスライドレール８ａに沿って前方に水平状態で引き出される。
次に、図５は、引出し式商品陳列棚７の可動棚板９を傾斜させた状態で設置する構成を示すもので、図４(ａ)〜(ｃ)に示すように、可動棚板の後部が持ち上がるように棚ブラケット８１を後方に向けて高くなるように傾斜が一体に形成され、図５(ａ)に示すように可動棚板９を庫内の後方に押し込んだ際には可動棚板の後方が持ち上がった状態で前方に傾斜された位置で保持されている。一方、商品補充などに際して前方から可動棚板９を手前に引くと、図５(ｂ)の矢印Ｐで表すように可動棚板９がスライドレール８ａに沿って前方に水平状態で引き出される。
【０００４】
次に、特許文献２で示す引出し式商品陳列棚は、スライドレールの可動側と結合することになり、具体的には、陳列棚の後方部分を上方へずらすようにして可動側に対して陳列棚を組み合わせ、陳列棚の後方部分は可動棚の側部の上部位置でネジ止めして結合されている。
また、特許文献３に示す引出し式商品陳列棚は、前方に少許低く傾斜した状態で固定されている。
【特許文献１】特開２０００−１３９６３６号公報（第２頁、図３、図４参照）
【特許文献２】特開２００２−２７２５６８号公報（第２，３頁、図１、図７参照）
【特許文献３】特開２００２−１６８５４８号公報（第３頁、図７参照）
【発明の開示】
【発明が解決しようとする課題】
【０００５】
ところで、前記した引出し式商品陳列棚の従来構造のままでは、構造上、操作性の面で次に記すような問題点がある。
まず、特許文献３のように傾斜させるために専用のブラケットを有している構成においては、傾斜させた状態の引出し式商品陳列棚と水平状態の引出し式商品陳列棚とのそれぞれ棚位置が固定されてしまい、棚位置を変更することが困難であり、また、特許文献１の構成においても、水平状態で引出し式商品陳列棚は固定であり、棚角度を変更することはできない。
次に、特許文献２に示す構成においては、ネジ止めの位置を変えることにより、傾斜させた状態の引出し式商品陳列棚と水平にした状態の引出し式商品陳列棚とを変えることは可能であると考えられるが、ねじを締めたり、緩めたりする道具が必要で操作性に問題がある。
また、特許文献３に示す構成においては、引出し式商品陳列棚を引き出した状態でも棚は傾斜したままとなり、安全性にも問題があり、この点について、図５に示した傾斜棚は、完全に引き出した状態では水平状態になるものの、その引き出し過程において、傾斜したままであり、依然安全性に問題があることからその改善策が要望されている。
【０００６】
本発明は上記の点に鑑みなされたものであり、その目的は前記課題を解決し、引き出し式商品陳列棚を、傾斜させた状態と水平状態との切り換えをスムーズに行えるようにしたショーケースを提供することにある。
【課題を解決するための手段】
【０００７】
ケース本体の庫内に水平姿勢に係止支持した左右一対のスライドレール付き棚ブラケットと、左右の棚ブラケットの間にまたがりスライドレールに沿って前方へ引出し可能に案内支持した可動棚板とからなる商品陳列棚が設けられたショーケースにおいて、前記棚ブラケットの庫内奥行き方向の後方部分に断面楔形の補助ブラケットを前記棚ブラケット上部より突出可能に設け、前記可動棚板を前方に引き出した状態で前記補助ブラケットを前記棚ブラケット上に戴置するように位置し、前記可動棚板を庫内後方に押し込むと、突出した補助ブラケットの傾斜に沿って後方部分が持ち上がり、前記可動棚板は押し込んだ位置に傾斜保持されてロックされ、前記可動棚板を前方に引き出して前記補助ブラケットを前記棚ブラケット上部より突出しない位置に配置した状態では、前記可動棚板は前記補助ブラケットと干渉せずに庫内後方に押し込んだ位置に保持されロックされることを特徴とする。
【発明の効果】
【０００８】
以上述べたように、本発明の構成によれば、ケース本体の庫内に水平姿勢に係止支持した左右一対のスライドレール付き棚ブラケットと、左右の棚ブラケットの間にまたがりスライドレールに沿って前方へ引出し可能に案内支持した可動棚板とからなる商品陳列棚が設けられたショーケースにおいて、前記棚ブラケットの庫内奥行き方向の後方部分に断面楔形の補助ブラケットを前記棚ブラケット上部より突出可能に設け、前記補助ブラケットの直立時には前記棚ブラケット上に戴置するように位置し、直立した補助ブラケットの傾斜に沿って、可動棚板の後方部分が持ち上がり、庫内後方に押し込んだ位置に保持され、前記補助ブラケットを倒した状態では可動棚板は水平状態で保持される位置になり、可動棚板の傾斜あるいは水平状態が容易に切り換える可能となり、かつ傾斜状態でも可動棚板は確実に保持される。
しかも、傾斜させた状態で設置された可動棚板を引き出す際には、補助ブラケットとの当接が外れた時点で水平となり、水平状態で可動棚板を引き出し可能であり、可動棚板の出し入れ操作がスムーズに行え、作業性に優れている。
【発明の実施の形態】
【０００９】
以下、本発明の実施の形態を図１，図２に示す実施例に基づいて説明する。なお、実施例の図中で図３ないし図５に対応する同一部材には同じ符号を付してその説明は省略する。
まず、図１は水平状態で設置される引出し式商品陳列棚を示し、図２は傾斜した状態で設置される引出し式商品陳列棚を示す。
図１において、引出し式商品陳列棚７の棚ブラケット８２の庫内奥行き方向の後端部分の内側には前面から見て下向きに開放する部分を有する略コ字形の取付片８ｃが一体に形成されており、該取付片８２ｃには、蝶番１２を介して、側面から見て断面楔形の補助ブラケット１１が取り付けられる。
この補助ブラケット１１は、前面から見て庫内奥行き方向に向かって、漸次、高くなっており、その傾斜角度は棚の大きさなどにより適宜定められるものであり、水平状態で可動棚板９を設置する場合には、補助ブラケット１１は図示のように内側に倒れた状態で設置し、傾斜状態で可動棚板９を設置する場合には補助ブラケット１１を直立させた状態で設置するものである。
なお、棚ブラケット８２の取付片８２ｃと補助ブラケット１１とは、蝶番１２を介して例えばねじ止めにより取り付けられている。
【００１０】
このような構成において、動作について説明すると、まず、図１は水平状態で設置される引出し式商品陳列棚の構成を示すもので、商品載置時には図１(ａ)〜(ｃ)に示すように、補助ブラケット１１は内側に倒れた状態となり、図１(ａ)に示すように、可動棚板９は補助ブラケット１１と干渉せずにスライドレール８ａに沿って庫内後方に押し込まれ、押し込んだ位置に保持され、図示しないロック機構により前方に飛び出さないように構成される。
一方、図１(ｂ)の矢印Ｐで表すように商品補充などに際してロックを外して前方から可動棚板９を引き出すとスライドレール８aに沿って前方へ水平状態で引き出される。
次に、図２は傾斜状態で配置される引出し式商品陳列棚の構成を示すもので、商品載置時には図２(ａ)〜(ｃ)に示すように、補助ブラケット１１を倒れた状態から蝶番１２の作用により引き起こすことで補助ブラケット１１が直立状態となり、図２(ａ)に示すように、可動棚板９はスライドレール８ａに沿って庫内後方に押し込まれることになり、前方から補助ブラケット１１に当接するまでは水平状態で移動し、可動棚板９の裏面と補助ブラケット１１とが当接することにより、補助ブラケットの傾斜に沿って、可動棚板９の後方部分が持ち上がり、庫内後方に押し込んだ位置に保持され、図示しないロック機構により前方に飛び出さないようにロックされている。
【００１１】
一方、図２(ｂ)の矢印Ｐで表すように商品補充などに際してロックを外して前方から可動棚板９を引き出すと、補助ブラケット１１との当接が外れた時点で可動棚板９は水平状態となり、スライドレール８ａに沿って前方へ水平状態で引き出される。このように、傾斜状態で設置した場合においても、補助ブラケット１１との当接が外れた時点の前方に引き出す途中で可動棚板９は水平状態となるため、商品を載置したまま引き出す際の安全性にも優れる。
なお、可動棚板の裏面側で、補助ブラケットと接する部分に樹脂を取り付け、可動棚板を滑りやすくしてもよく、また、補助ブラケット自体を樹脂で形成して可動棚板を滑りやすくしても良い。
また、本実施例においては、蝶番１２を介して棚ブラケット８と補助ブラケット１１とを取り付けているが、ヒンジ結合など回動可能であれば良い。
さらに、本実施例においては、補助ブラケット１１は左右方向に回動自在であるが、上下方向に回動自在にしてもよく、この場合、前方の位置を支点とすればよい。
また、本実施例においては、冷蔵ショーケースを例として説明したが、例えば、棚の下面にヒータを取り付け、ホット商品を載置する棚にも適用可能であることは言うまでもない。
【図面の簡単な説明】
【００１２】
【図１】本発明の実施の形態を示す水平状態で設置される引出し式商品陳列棚の構成図であり、(ａ)は可動棚板の押し込んだ状態を示す側面図、(ｂ)は可動棚板の引出し状態を表す平面図、(ｃ)は可動棚板の押し込んだ状態を示す部分正面図。
【図２】本発明の実施の形態を示す傾斜状態で設置される引出し式商品陳列棚の構成図であり、(ａ)は可動棚板の押し込んだ状態を示す側面図、(ｂ)は可動棚板の引出し状態を表す平面図、(ｃ)は可動棚板の押し込んだ状態を示す部分正面図。
【図３】本発明の実施対象である多段形オープンショーケースの縦断側面図。
【図４】従来における水平状態で設置される引出し式商品陳列棚の構成図であり、(ａ)は可動棚板の押し込んだ状態を示す側面図、(ｂ)は可動棚板の引出し状態を表す平面図、(ｃ)は可動棚板の押し込んだ状態を示す部分正面図。
【図５】従来における傾斜状態で設置される引出し式商品陳列棚の構成図であり、(ａ)は可動棚板の押し込んだ状態を示す側面図、(ｂ)は可動棚板の引出し状態を表す平面図、(ｃ)は可動棚板の押し込んだ状態を示す部分正面図。
【符号の説明】
【００１３】
１      ケース本体
１ａ    背面パネル
７    引出し式商品陳列棚
８      棚ブラケット
８１    棚ブラケット
８２    棚ブラケット
８ａ    スライドレール
８ｂ    爪
８２ｃ  取付片
９      可動棚板
１０      商品
１１      補助ブラケット
１２      蝶番
【図１】
0004615036.tif 000002
【図２】
0004615036.tif 000003
【図３】
0004615036.tif 000004
【図４】
0004615036.tif 000005
【図５】
0004615036.tif 000006